(57)【要約】【課題】パソコン等の情報端末装置と接続した場合、通信端末装置側のＤＡＡが局電で動作するものであっても、通信端末装置側のＤＡＡを動作させてパソコンとの間で通信を行うことが可能なデータ通信方法を提供する。【解決手段】接続アダプター２を介してデジタル複合機１とパソコン３を接続すると、デジタル複合機１のＤＡＡが接続された回線端子Ｌ１、Ｌ２とパソコン３のＤＡＡが接続された回線端子Ｌ５、Ｌ６とが接続され、デジタル複合機１のハンドセットが接続される端子Ｔ１、Ｔ２が回線端子Ｌ１、Ｌ２に接続される。これにより、ハンドセット用のＤＣ／ＤＣコンバータの出力電圧がレターコイルＬＣ１、ＬＣ２を介してデジタル複合機１のＤＡＡに印加されるので、ＤＡＡが動作可能となり、パソコン３との間で通信を行うことができる。【選択図】図３
2007215058.tif 000002
【特許請求の範囲】
【請求項１】
情報端末装置のデータアクセスアレンジメントと通信端末装置のデータアクセスアレンジメントを接続してデータ通信を行うデータ通信方法であって、
上記通信端末装置が外付け電話端末用の端子と、この端子に電圧を供給する電圧印加回路とを備え、上記外付け電話端末用の端子の電圧を通信端末装置のデータアクセスアレンジメントのライン側に印加することを特徴とするデータ通信方法。
【請求項２】
情報端末装置のデータアクセスアレンジメントと通信端末装置のデータアクセスアレンジメントを接続してデータ通信を行うデータ通信方法であって、
上記情報端末装置が電力線を含むインターフェースを備え、このインターフェースからの電圧を電圧変換手段で変換した後、通信端末装置のデータアクセスアレンジメントのライン側に印加することを特徴とするデータ通信方法。
【請求項３】
情報端末装置のデータアクセスアレンジメントと通信端末装置のデータアクセスアレンジメントを接続してデータ通信を行うデータ通信方法であって、
電池をコイルを介して通信端末装置のデータアクセスアレンジメントのライン側に接続することを特徴とするデータ通信方法。
【発明の詳細な説明】
【技術分野】
【０００１】
本発明は情報端末装置のデータアクセスアレンジメント（以下、ＤＡＡという）と通信端末装置のＤＡＡを接続してデータ通信を行うデータ通信方法に関する。
【背景技術】
【０００２】
複写機能、ファクシミリ機能、プリント機能、スキャナ機能等を有する最近のデジタル複合機やファクシミリ装置等の通信端末装置は、宛先を指定するためのテンキー、スタートキー等の各種キーを備えるとともに、指定した宛先を表示したり、装置の動作状態や種々の機能の操作画面を表示するためのＬＣＤ表示器等の表示装置を備え、ユーザは、テンキーにより宛先を入力し、それを表示装置で確認してファクシミリ送信を行っている。
【０００３】
また、頻繁に送信が行われる宛先の場合には、このような宛先をワンタッチキーに割り当てたり、大型のＬＣＤ表示器を備えたものでは、ＬＣＤ表示部にワンタッチボタンや短縮ダイヤルを表示し、これらのワンタッチダイヤルキー、ワンタッチダイヤルボタンあるいは短縮ダイヤルを選択することにより所望の宛先にファクシミリ送信を行うことが可能になっている。
【０００４】
一方、このような通信端末装置をリプレースするときなど、上記のワンタッチダイヤル、短縮ダイヤル、プログラムワンタッチ等の内容を現行の機台から新しい機台に移行するために、一旦ノートパソコン等の情報端末装置に現行の機台のユーザ・データを吸い出し、新しい機台に書き込む作業が必要となるので、パソコンのモジュラジャックと通信端末装置のモジュラジャックとを接続し、両者のモデムを用いて通信を行ってデータの吸出し及び書込みを行っていた。
【０００５】
ところで、従来、ファクシミリ装置等の通信端末装置においては、回線とファクシミリ装置本体とのインターフェース（ＩＦ）をとるために、網制御回路が設けられているが、このような網制御回路ではモデムと回線とのインピーダンス整合及び回線側の回路とモデム側の回路との間の絶縁を目的として６００Ωで終端されたトランスが用いられ、またＣＮＧ信号／ＦＣ信号／ＤＴＭＦ信号の各トーン信号における回線側の回路とモデム側の回路との間の伝送及び絶縁にハイインピーダンスで終端されたトランスの二つのトランスが使用されている。
【０００６】
しかしながら、最近では、網制御回路のアナログ回路を半導体化してトランスを使用しないＤＡＡが、データモデムなどのインターフェースとして使われ、回路の簡略化／小型化、コストダウンが図られている。
このＤＡＡは、回線側回路（ラインサイドデバイス：ＬＳＤ）、システム側回路（システムサイドデバイス：ＳＳＤ）を備え、これらの回路が直流的に絶縁された状態で信号伝達が行えるように結合回路を介して接続された構成となっており、ファクシミリ装置でも従来の網制御回路に代えてこのＤＡＡが使用され始めている（例えば、特許文献１参照）。
【特許文献１】特開２００３−２０９６４０号公報
【発明の開示】
【発明が解決しようとする課題】
【０００７】
上記のように、ファクシミリ装置等の通信端末装置でも従来の網制御回路に代えてＤＡＡの使用が検討されているが、ＤＡＡの中には、電話局からの電流（以下、局電という）で動作するものもある。そして、上記のように、パソコンとファクシミリ装置とを接続し、両者のモデムを用いて通信を行ってデータの吸出し及び書き込みを実行する場合、ファクシミリ装置側のＤＡＡが局電で動作するものであると、ライン側には何等電圧が加えられないので、ファクシミリ装置側のＤＡＡが動作せず、パソコンとの間で通信を行うことができないという事態が生じる。
【０００８】
本発明は、上記の問題に鑑みてなされたもので、パソコン等の情報端末装置と接続した場合、通信端末装置側のＤＡＡが局電で動作するものであっても、通信端末装置側のＤＡＡを動作させてパソコンとの間で通信を行うことが可能なデータ通信方法を提供することを目的とする。
【課題を解決するための手段】
【０００９】
上述の目的を達成するため、請求項１に係る発明のデータ通信方法は、  情報端末装置のデータアクセスアレンジメントと通信端末装置のデータアクセスアレンジメントを接続してデータ通信を行うデータ通信方法であって、上記通信端末装置が外付け電話端末用の端子と、この端子に電圧を供給する電圧印加回路とを備え、上記外付け電話端末用の端子の電圧を通信端末装置のデータアクセスアレンジメントのライン側に印加することを特徴とする。
【００１０】
また、請求項２に係る発明のデータ通信方法は、情報端末装置のデータアクセスアレンジメントと通信端末装置のデータアクセスアレンジメントを接続してデータ通信を行うデータ通信方法であって、上記情報端末装置が電力線を含むインターフェースを備え、このインターフェースからの電圧を電圧変換手段で変換した後、通信端末装置のデータアクセスアレンジメントのライン側に印加することを特徴とする。
【００１１】
さらに、請求項３に係る発明のデータ通信方法は、情報端末装置のデータアクセスアレンジメントと通信端末装置のデータアクセスアレンジメントを接続してデータ通信を行うデータ通信方法であって、電池をコイルを介して通信端末装置のデータアクセスアレンジメントのライン側に接続することを特徴とする。
【発明の効果】
【００１２】
ファクシミリ装置等の通信端末装置の中には、他の電話端末、例えば、電話機、留守番電話機等が接続できる端末を備えたものがあるが、この端末は通常電話回線から切り離されており、この電話端末から外部に発呼するときには、電話機等を電話回線に接続する必要があるため、装置内部のＤＣ／ＤＣコンバータで生成した電圧をこの電話回線用の端子に印加し、オフフック時に流れる電流を検出することによりリレーを切り替えて電話端末を電話回線に接続するようになっており、請求項１に係る発明のデータ通信方法は、この外付け電話端末用の端子の電圧を通信端末装置のＤＡＡのライン側に印加するものであり、この電圧によって通信端末装置側のＤＡＡを動作させることができるので、パソコンとの間で通信を行うことが可能となる。
【００１３】
また、請求項２に係る発明のデータ通信方法によれば、情報端末装置の電力線を含むインターフェース、例えば、ＵＳＢインターフェースからの電圧が電圧変換手段で電圧変換された後、通信端末装置のＤＡＡのライン側に印加されるので、通信端末装置側のＤＡＡを動作させることができ、パソコンとの間で通信を行うことが可能となる。
さらに、請求項３に係る発明のデータ通信方法によれば、電池がコイルを介して通信端末装置のＤＡＡのライン側に接続されるので、この電池の電圧によって通信端末装置側のＤＡＡを動作させることができ、パソコンとの間で通信を行うことが可能となる。
【実施例１】
【００１４】
以下、本発明のデータ通信方法を通信端末装置の一つであるデジタル複合機に適用した実施例について説明する。
図１はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ＤＡＡ２０、ＬＡＮインターフェース（Ｉ／Ｆ）２１から構成され、各部がバス２２を介して接続されている。また、このデジタル複合機１は、電話回線を接続する端子Ｌ１、Ｌ２、電話端末用の端子Ｔ１、Ｔ２及びＬＡＮ接続用の端子Ｌ３、Ｌ４を備えている。
【００１５】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１６】
表示・操作部１４は、デジタル複合機１の動作状態を表示したり、種々の機能の操作画面の表示を行う表示部と、デジタル複合機１を操作するための複数のキーよりなり、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
【００１７】
また、画像メモリ１６は、ＤＲＡＭ等を用いて構成され、送信すべき画像データまたは受信した画像データあるいは読取部１５で読み取った画像データを記憶し、記録部１７は電子写真方式等のプリンタ装置を備え、受信したデータ、コピー原稿データあるいは外部のパソコンから送信されたプリントデータをプリントアウトする。
【００１８】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号する。
また、モデム１９はバス２２に接続されており、ファクシミリ通信が可能なファクスモデムとしての機能を有し、このモデム１９は同様にバス２２に接続されたＤＡＡ２０と接続されている。ＤＡＡ２０はアナログ回線の閉結及び開放の動作を行うハードウェアであり、必要に応じてモデム１９を電話回線Ｌ１、Ｌ２に接続する。
【００１９】
さらに、ＬＡＮインターフェース２１はＬＡＮ接続端子Ｌ３、Ｌ４に接続され、インターネット網からの信号やＬＡＮに接続されたパソコンからの信号を受信する一方、ＬＡＮに対して信号やデータを送信するものであり、信号変換やプロトコル変換などのインターフェース処理を実行する。
【００２０】
図２は、ＤＡＡと電話回線及び電話端末用の端子との接続状態を示す詳細図であり、図に示すように、ダイオードブリッジ３１、フックスイッチ３２、切替リレー３３、ホトカプラ３４、ＤＣ／ＤＣコンバータ３５、ＤＡＡ２０、モデム１９よりなり、局電により動作可能なＤＡＡ２０が回線端子Ｌ１、Ｌ２に接続され、この回線端子Ｌ１、Ｌ２はダイオードブリッジ３１及ぶフックスイッチ３２を介してＤＡＡ２０内のハイブリッド回路に接続されている。
このダイオードブリッジ３１は、直流ループ電流の極性を一方向に整流するものであり、フックスイッチ３２は、オンすることによりモデム１９をオフフック状態にするものである。
【００２１】
一方、切替リレー３３はファクシミリ通信モードと電話通話モードの切り替えを行うリレーであり、回線端子Ｌ１、Ｌ２はこの切替リレー３３を介して電話端末用の端子Ｔ１、Ｔ２に接続される。また、ＤＣ／ＤＣコンバータ３５はデジタル複合機１内の電圧Ｖを昇圧して端子Ｔ１、Ｔ２に供給し、ホトカプラ３４は端子Ｔ１、Ｔ２に流れる電流を検出して、ＣＰＵ１１にオフフック信号を出力する。
【００２２】
デジタル複合機１は上記のような構成を備えており、ファクシミリ送信時には、原稿の画像データが読取部１５で読み取られ、コーデック１８で圧縮されて画像メモリ１６に蓄積される。そして、フックスイッチ３２がオンされた後、圧縮された画像データが画像メモリ１６から読み出されてモデム１９で変調され、ＤＡＡ２０からダイオードブリッジ３１、回線端子Ｌ１、Ｌ２に接続された公衆交換電話網（ＰＳＴＮ）を通して通信相手先に送信される。また、ファクシミリ受信時には、受信した画像データがモデム１９で復調され、画像メモリ１６に蓄積された後、コーデック１８で復号されて記録部１７により印刷される。  
【００２３】
一方、ユーザが通話するために、端子Ｔ１、Ｔ２に接続されたハンドセット（図示せず）をオフフックすると、ＤＣ／ＤＣコンバータ３５の出力電圧によってハンドセットに電流が流れ、ホトカプラ３４がこの電流を検出してＣＰＵ１１にオフフック信号を出力する。これにより、ＣＰＵ１１が切替リレー３３に切替信号を出力し、切替リレー３３が切り替えられて回線端子Ｌ１、Ｌ２が端子Ｔ１、Ｔ２に接続されるので、通話を行うことが可能となる。
【００２４】
次に、サービスマン等がデジタル複合機１のユーザ・データを吸い出すため、または、デジタル複合機１をパソコンと直結させてパソコンのデータをプリントするために、デジタル複合機１とパソコンを接続する場合の作用について説明する。
図３はデジタル複合機１のモジュラジャックとパソコンのモジュラジャックとを接続する場合の接続アダプター２の回路構成を示す図である。
【００２５】
図３に示すように、この接続アダプター２は、デジタル複合機１のＤＡＡ２０が接続された回線端子Ｌ１、Ｌ２とパソコン３のＤＡＡが接続された回線端子Ｌ５、Ｌ６とを接続するＬＩＮＥ１、２と、このＬＩＮＥ１、２と接続され、デジタル複合機１のハンドセットが接続される端子Ｔ１、Ｔ２に接続されるＬＩＮＥ３、４によって構成され、ＬＩＮＥ１、２にはコンデンサＣ１、Ｃ２が挿入され、ＬＩＮＥ３、４にはレターコイルＬＣ１、ＬＣ２が挿入されている。
【００２６】
デジタル複合機１とパソコン３の接続時に、この接続アダプター２を介してデジタル複合機１とパソコン３を接続すると、ＤＣ／ＤＣコンバータ３５の出力電圧がレターコイルＬＣ１、ＬＣ２を介してデジタル複合機１のＤＡＡ２０に印加されるが、このＤＣ／ＤＣコンバータ３５は局電に近いかなり高い電圧、例えば、２４Ｖの電圧を発生しており、デジタル複合機１のＤＡＡ２０が動作可能となるので、パソコン３との間で通信を行うことができる。
一方、ＤＣ／ＤＣコンバータ３５からの電圧はコンデンサＣ１、Ｃ２によりカットされるので、パソコン３のＤＡＡには電圧が印加されない。
【００２７】
なお、この実施例では、パソコン３のＤＡＡがパソコンの電源で動作する場合について説明したが、パソコン３のＤＡＡが局電で動作するタイプのＤＡＡの場合には、コンデンサＣ１、Ｃ２を抜くことにより、ＤＣ／ＤＣコンバータ３５の電圧をパソコン３側のＤＡＡにも印加することができる。
【実施例２】
【００２８】
上記の実施例では、デジタル複合機１のＤＣ／ＤＣコンバータ３５の出力電圧をＤＡＡ２０に印加することによりＤＡＡ２０を動作させたが、パソコンが電力線を含むインターフェース、例えば、ＵＳＢ端子を備えている場合には、このインターフェースから電力線のみを取り出し、必要な電圧に変換した後、デジタル複合機１のＤＡＡ２０に印加することもでき、以下、パソコンのＵＳＢ端子の電圧によりＤＡＡを動作させる場合の実施例について説明する。
【００２９】
この実施例の接続アダプター４は、図４に示すように、デジタル複合機１のＤＡＡ２０が接続された回線端子Ｌ１、Ｌ２とパソコン３のＤＡＡが接続された回線端子Ｌ５、Ｌ６とを接続するＬＩＮＥ１、２と、パソコン３のＵＳＢコネクタＬ７、Ｌ８にレターコイルＬＣ３を介して接続される電圧変換器５と、電圧変換器５の出力電圧をＬＩＮＥ１、２に供給するレターコイルＬＣ４、ＬＣ５によって構成され、ＬＩＮＥ１、２にはコンデンサＣ１、Ｃ２が挿入されている。
また、電圧変換器５は、ＤＣ／ＤＣコンバータ５１、ダイオードＤ１、コンデンサＣ３によって構成され、パソコン３のＵＳＢコネクタＬ７、Ｌ８からの電圧を昇圧してＬＩＮＥ１、２に供給する。
【００３０】
デジタル複合機１とパソコン３の接続時に、この接続アダプター４を介してデジタル複合機１とパソコン３を接続すると、パソコン３のＵＳＢコネクタＬ７、Ｌ８に発生する５Ｖの電圧が電圧変換器５により１０Ｖに昇圧され、レターコイルＬＣ４、ＬＣ５、ＬＩＮＥ１、２を介してデジタル複合機１のＤＡＡ２０に印加されるので、デジタル複合機１のＤＡＡ２０が動作可能となり、パソコン３との間で通信を行うことができる。一方、電圧変換器５の出力電圧はコンデンサＣ１、Ｃ２によってカットされるので、パソコン３のＤＡＡには電圧が印加されない。
【００３１】
この場合、レターコイルＬＣ４、ＬＣ５の等価抵抗値が100Ω、ＤＡＡ２０の抵抗値が300Ωの場合、ＤＡＡ２０に0.02Ａの電流を流すためには10Ｖ（500×0.02）が必要となり、必要な出力パワーは0.2ＶＡとなるが、ＵＳＢのバスパワーが５Ｖ、0.1Ａで0.5ＶＡ、電圧変換器５の効率が0.8とすると、電圧変換器５のパワーは0.4ＶＡとなり、十分満足する値を得ることができる。
なお、上記と同様に、パソコン３のＤＡＡが局電で動作するタイプのＤＡＡの場合には、コンデンサＣ１、Ｃ２を抜くことにより、電圧変換器５の出力電圧をパソコン３側のＤＡＡにも印加することができる。
【実施例３】
【００３２】
また、電池電圧によりデジタル複合機１のＤＡＡ２０を動作させることも可能であり、以下、電池によりＤＡＡ２０を動作させる場合の実施例について説明する。
この実施例の接続アダプター６は、図５に示すように、デジタル複合機１のＤＡＡ２０が接続された回線端子Ｌ１、Ｌ２とパソコン３のＤＡＡが接続された回線端子Ｌ５、Ｌ６とを接続するＬＩＮＥ１、２と、このＬＩＮＥ１、２に接続されたＬＩＮＥ５によって構成され、ＬＩＮＥ１、２にはコンデンサＣ１、Ｃ２が挿入され、ＬＩＮＥ５には電池ＥとレターコイルＬＣ６が挿入されている。
【００３３】
デジタル複合機１とパソコン３の接続時に、この接続アダプター６を介してデジタル複合機１とパソコン３を接続すると、電池Ｅの出力電圧がレターコイルＬＣ６、ＬＩＮＥ１、２を介してデジタル複合機１のＤＡＡ２０に印加されるので、デジタル複合機１のＤＡＡ２０が動作可能となり、パソコン３との間で通信を行うことができる。一方、電池Ｅの出力電圧はコンデンサＣ１、Ｃ２によってカットされるので、パソコン３のＤＡＡには電圧が印加されない。
【００３４】
上記の電池Ｅの電圧は、レターコイルＬＣ６の等価抵抗値が100Ω、ＤＡＡ２０の抵抗値が300Ωの場合、ＤＡＡ２０に0.02Ａの電流を流すためには、８Ｖ必要であり、９Ｖの００６Ｐ形電池で代用することが可能である。
なお、上記と同様に、パソコン３のＤＡＡが局電で動作するタイプのＤＡＡの場合には、コンデンサＣ１、Ｃ２を抜くことにより、電池Ｅの電圧をパソコン３側のＤＡＡにも印加することができる。
【００３５】
なお、以上の実施例では、本発明のデータ通信方法を適用する通信端末装置としてデジタル複合機を例にして説明したが、プリンタ機能等を持たない通常のファクシミリ装置等にも本発明を適用することが可能である。
【図面の簡単な説明】
【００３６】
【図１】本発明のデータ通信方法を適用するデジタル複合機のハードウェア構成を示すブロック図である。
【図２】ＤＡＡと電話回線及び電話端末用の端子との接続状態を示す詳細図である。
【図３】デジタル複合機とパソコンとを接続する場合の接続アダプターの構成を示す図である。
【図４】デジタル複合機とパソコンとを接続する場合の接続アダプターの他の実施例の構成を示す図である。
【図５】デジタル複合機とパソコンとを接続する場合の接続アダプターのさらに他の実施例の構成を示す図である。
【符号の説明】
【００３７】
１  デジタル複合機
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＤＡＡ
２１  ＬＡＮ  Ｉ／Ｆ
２２  バス
２、４、６  接続アダプター
３  パソコン
５  電圧変換器
３１  ダイオードブリッジ
３２  フックスイッチ
３３  切替リレー
３４  ホトカプラ
３５、５１  ＤＣ／ＤＣコンバータ
【図１】
2007215058.tif 000003
【図２】
2007215058.tif 000004
【図３】
2007215058.tif 000005
【図４】
2007215058.tif 000006
【図５】
2007215058.tif 000007